(57)【要約】  本発明は、広範囲のスプレーおよび洗浄用途に有用な逆マッシュルーム形のマッシュルームインサート形状を有する様々な低流量流体ノズルインサートに関する。一実施形態では、本発明は、形状的および寸法的制限を伴う低流量で機能することができる流体ノズルインサートに関する。さらに別の実施形態では、本発明は、低流量での小規模用途のための流体ノズルアセンブリにおいて所望の性能レベルを達成する方法を提供するコンパクトな流体ノズルインサートに関する。【選択図】図１
2020522652.tif 000002
【特許請求の範囲】
【請求項１】
約７．５ｍｍ以下の幅（Ｗ）および約８ｍｍ以下の長さ（Ｌ）を有する流体ノズルインサート構造体；ならびに
約０．５ｍｍから約２ｍｍの範囲のコンパクトな湾曲状の底壁半径（ＷＣ）を有する流体振動子形状、
ここでエッジブロックは、スロート幅（ＴＷ）に対してスロート幅（ＴＷ）の０から約０．８倍ほどの範囲であり得るエッジブロックの長さ（ＴＬ）を有することにより規定され、ここで相互作用領域の幅（ＩＷ）は、パワーノズルの幅（ＰＷ）の約５倍から約１０倍であり、ここで前記相互作用領域の高さ（ＩＨ）は、前記パワーノズルの幅（ＰＷ）の約４倍から約８倍であり、そしてここでスロートオフセット（ＴＯ）は、前記相互作用領域の高さ（ＩＨ）の約０．０５から約０．３倍の範囲内である、を含む流体ノズルインサート。
【請求項２】
振動誘発チャンバ、少なくとも１つの圧力下流体源、少なくとも一対の流体ジェットを前記振動チャンバへ発射するための前記少なくとも１つの圧力下流体源に接続された少なくとも一対のパワーノズル（ＰＮ１、ＰＮ２）、および脈動または振動流体ジェットを利用点または周囲へ放出するための前記振動チャンバからの少なくとも１つの出口オリフィス、ここで共通の流体マニホールドはパワーノズル（ＰＮ１、ＰＮ２）に接続されている、をさらに備える請求項１に記載の流体ノズルインサート。
【請求項３】
パワーノズルマニホールドの形状は、フラットトップの相互作用または振動チャンバを画定する壁の１つを形成し、ここで流体回路の少なくとも１つにおいて、その長さは、既存のハウジングに合うように調整でき、そしてここでノズルアセンブリは、所望の方向に応じて左または右への液体スプレーファンの角度でヨー角を生成するオフセットを有する、請求項１または２に記載の流体ノズルインサート。
【請求項４】
流出スロートは、スプレーの左方向または右方向のヨー角を動かすために左または右にわずかに軸を外れて（中心スプレー軸と同軸である対称の中心軸を外れて）おり、そしてここで出口スロートは、所望に応じて左または右に所定の角度のヨー角を生成するよう縦軸に沿ってわずかにオフセットされることができる、請求項１から３のいずれか一項に記載の流体ノズルインサート。
【請求項５】
エッジブロックの長さ（ＴＬ）は、長さＴＬ＝（０．０から０．０８）・ＴＷを有する壁セグメントに対して約１０°から約３０°の範囲の挟角で規定され、ここでＴＷはスロート幅を表す、請求項１から４のいずれか一項に記載の流体ノズルインサート。
【請求項６】
前記流体ノズルインサート構造体は、約７ｍｍ以下の幅（Ｗ）および約７．５ｍｍ以下の長さ（Ｌ）を有する、請求項１から５のいずれか一項に記載の流体ノズルインサート。
【請求項７】
前記流体ノズルインサート構造体は、約６．５ｍｍ以下の幅（Ｗ）および約７ｍｍ以下の長さ（Ｌ）を有する、請求項１から５のいずれか一項に記載の流体ノズルインサート。
【請求項８】
前記流体ノズルインサート構造体は、約６ｍｍ以下の幅（Ｗ）および約６．５ｍｍ以下の長さ（Ｌ）を有する、請求項１から５のいずれか一項に記載の流体ノズルインサート。
【請求項９】
前記流体ノズルインサート構造体は、約５．５ｍｍ以下の幅（Ｗ）および約６ｍｍ以下の長さ（Ｌ）を有する、請求項１から５のいずれか一項に記載の流体ノズルインサート。
【請求項１０】
前記流体ノズルインサート構造体は、約５ｍｍ以下の幅（Ｗ）および約５．５ｍｍ以下の長さ（Ｌ）を有する、請求項１から５のいずれか一項に記載の流体ノズルインサート。
【請求項１１】
ノズルポスト、ここで前記ノズルポストは取り付け可能に設計されており；
上げられた流体ノズルインサートレセプタクル、ここで前記ノズルインサートレセプタクルは、その中に形成された少なくとも１つの空洞に少なくとも１つの流体ノズルインサートを受け入れるように設計されており；ならびに
ノズル本体、ここで前記ノズル本体は、前記ノズルポストと前記上げられた流体ノズルインサートレセプタクルとの間に位置し、そしてそれら両方を接続する、を備えた流体ノズルアセンブリ、
ここで前記流体ノズルインサートは、
約７．５ｍｍ以下の幅（Ｗ）および約８ｍｍ以下の長さ（Ｌ）を有する流体ノズルインサート構造体；および
約０．５ｍｍから約２ｍｍの範囲のコンパクトな湾曲状の底壁半径（ＷＣ）を有する流体振動子形状を含み、
ここでエッジブロックは、スロート幅（ＴＷ）に対してスロート幅（ＴＷ）の０から約０．８倍ほどの範囲であり得るエッジブロックの長さ（ＴＬ）を有するように規定されており、ここで相互作用領域の幅（ＩＷ）は、パワーノズルの幅（ＰＷ）の約５から約１０倍であり、ここで前記相互作用領域の高さ（ＩＨ）は、前記パワーノズルの幅（ＰＷ）の約４から約８倍であり、そしてここでスロートオフセット（ＴＯ）は、前記相互作用領域（ＩＨ）の高さの約０．０５から約０．３倍の範囲内である、を備えた流体ノズルアセンブリ。
【請求項１２】
振動誘発チャンバ、少なくとも１つの圧力下流体源、少なくとも一対の流体ジェットを前記振動チャンバへ発射するための前記少なくとも１つの圧力下流体源に接続された少なくとも一対のパワーノズル（ＰＮ１、ＰＮ２）、および脈動または振動流体ジェットを利用点または周囲へ放出するための前記振動チャンバからの少なくとも１つの出口オリフィス、ここで共通の流体マニホールドはパワーノズル（ＰＮ１、ＰＮ２）に接続されている、をさらに備える請求項１１に記載の流体ノズルアセンブリ。
【請求項１３】
パワーノズルマニホールドの形状は、フラットトップの相互作用または振動チャンバを画定する壁の１つを形成し、ここで流体回路の少なくとも１つにおいて、その長さは、既存のハウジングに合うように調整でき、そしてここで前記ノズルアセンブリは、所望の方向に応じて左または右への液体スプレーファンの角度でヨー角を生成するオフセットを有する、請求項１１または１２に記載の流体ノズルアセンブリ。
【請求項１４】
流出スロートは、スプレーの左方向または右方向のヨー角を動かすために左または右にわずかに軸を外れて（中心スプレー軸と同軸である対称の中心軸を外れて）おり、そしてここで出口スロートは、所望に応じて左または右に所定の角度のヨー角を生成するよう縦軸に沿ってわずかにオフセットされることができる、請求項１１から１３のいずれか一項に記載の流体ノズルアセンブリ。
【請求項１５】
エッジブロックの長さ（ＴＬ）は、長さＴＬ＝（０．０から０．０８）・ＴＷを有する壁セグメントに対して約１０°から約３０°の範囲の挟角で規定され、ここでＴＷはスロート幅を表す、請求項１１から１４のいずれか一項に記載の流体ノズルアセンブリ。
【請求項１６】
前記流体ノズルインサート構造体は、約７ｍｍ以下の幅（Ｗ）および約７．５ｍｍ以下の長さ（Ｌ）を有する、請求項１１から１５のいずれか一項に記載の流体ノズルアセンブリ。
【請求項１７】
前記流体ノズルインサート構造体は、約６．５ｍｍ以下の幅（Ｗ）および約７ｍｍ以下の長さ（Ｌ）を有する、請求項１１から１５のいずれか一項に記載の流体ノズルアセンブリ。
【請求項１８】
前記流体ノズルインサート構造体は、約６ｍｍ以下の幅（Ｗ）および約６．５ｍｍ以下の長さ（Ｌ）を有する、請求項１１から１５のいずれか一項に記載の流体ノズルアセンブリ。
【請求項１９】
前記流体ノズルインサート構造体は、約５．５ｍｍ以下の幅（Ｗ）および約６ｍｍ以下の長さ（Ｌ）を有する、請求項１１から１５のいずれか一項に記載の流体ノズルアセンブリ。
【請求項２０】
前記流体ノズルインサート構造体は、約５ｍｍ以下の幅（Ｗ）および約５．５ｍｍ以下の長さ（Ｌ）を有する、請求項１１から１５のいずれか一項に記載の流体ノズルアセンブリ。
【請求項２１】
前記ノズルポスト、前記上げられた流体ノズルインサートレセプタクル、および前記ノズル本体は、少なくとも前記上げられた流体ノズルインサートレセプタクルの少なくとも１次元での移動を許容するよう一緒に作動する、請求項１１から２０のいずれか一項に記載の流体ノズルアセンブリ。
【請求項２２】
前記ノズルポスト、前記上げられた流体ノズルインサートレセプタクル、および前記ノズル本体は、少なくとも前記上げられた流体ノズルインサートレセプタクルの少なくとも２次元での移動を許容するよう一緒に作動する、請求項１１から２０のいずれか一項に記載の流体ノズルアセンブリ。
【請求項２３】
前記ノズルポスト、前記上げられた流体ノズルインサートレセプタクル、および前記ノズル本体は、少なくとも前記上げられた流体ノズルインサートレセプタクルの３次元すべてでの移動を許容するよう一緒に作動する、請求項１１から２０のいずれか一項に記載の流体ノズルアセンブリ。
【請求項２４】
前記ノズルポスト、前記上げられた流体ノズルインサートレセプタクル、および前記ノズル本体は、取り付け可能なノズルアセンブリのすべての少なくとも１次元での移動を許容するよう一緒に作動する、請求項１１から２０のいずれか一項に記載の流体ノズルアセンブリ。
【請求項２５】
前記ノズルポスト、前記上げられた流体ノズルインサートレセプタクル、および前記ノズル本体は、取り付け可能なノズルアセンブリのすべての少なくとも２次元での移動を許容するよう一緒に作動する、請求項１１から２０のいずれか一項に記載の流体ノズルアセンブリ。
【請求項２６】
前記ノズルポスト、前記上げられた流体ノズルインサートレセプタクル、および前記ノズル本体は、取り付け可能なノズルアセンブリのすべての３次元すべてでの移動を許容するよう一緒に作動する、請求項１１から２０のいずれか一項に記載の流体ノズルアセンブリ。
【請求項２７】
前記流体ノズルアセンブリが少なくとも１つの追加のデバイスまたはセンサを洗浄できるように、前記ノズル本体は、前記少なくとも１つの追加のデバイスまたはセンサを受け入れて固定するように設計されている、請求項１１から２６のいずれか一項に記載の流体ノズルアセンブリ。
【請求項２８】
前記流体ノズルインサートは、前記上げられた流体ノズルインサートレセプタクルで逆向きに配向されている、請求項１１から２７のいずれか一項に記載の流体ノズルアセンブリ。
【発明の詳細な説明】
【技術分野】
【０００１】
関連出願データ
本ＰＣＴ出願は、２０１７年６月５日に出願された米国仮特許出願第６２／５１５，３５８号の優先権を主張し、その開示全体は参照により本明細書に組み込まれる。
【０００２】
本発明は、広範囲のスプレーおよび洗浄用途に有用な逆マッシュルーム形のマッシュルームインサート形状を有する様々な低流量流体ノズルインサートに関する。一実施形態では、本発明は、形状的および寸法的制限を有する低流量で機能することができる流体ノズルインサートに関する。さらに別の実施形態では、本発明は、低流量での小規模用途の流体ノズルアセンブリで所望の性能レベルを達成する方法を提供するコンパクトな流体ノズルインサートに関する。
【背景技術】
【０００３】
米国運輸省道路交通安全局（「ＮＨＴＳＡ」）は、２０１８年の時点で、すべての新しい車両に「バックオーバー」の可能性を最小限に抑えるために、リアビューまたは「バックアップ」カメラシステムを備えなければならないことを義務付けた。バックオーバーは、明確に定義されたタイプの事故であり、ここでは車両の非乗員（歩行者または自転車乗り）が後方に移動する車両に衝突する。したがって自動車の相手先商標製品の製造業者（ＯＥＭ）は、すべての新しい車に外部リアビューカメラを追加している。加えてＯＥＭは、車両の周辺（後方、側面、または前方）にある他の死角をより多くのカメラで見ることを望んでおり、そしてこれらのカメラはすべて、路面の汚れや泥などで最終的に汚れる外部レンズ表面を必然的に備えている。装飾およびスタイリングの理由から、車両のＯＥＭは、車両に対する自動車設計者のビジョンを損なうことのない機能的なカメラと対応するレンズクリーニングデバイスを望んでおり、したがって、完全に見えないカメラとカメラレンズのクリーニングシステムが理想的である。視覚的に目立たず、そして車両のデザインに入り込まない方法で車両の外部トリム内に収まる、アセンブリ内の付随レンズクリーニングシステムを有するカメラシステムを提供することは困難なことである。
【０００４】
外部ビュー（例えば、フロントバンパー、サイドビュー、リアビュー、またはバックアップ）カメラがＲＶ車および自動車に追加され、運転者の視界を強化し、安全性を向上させている。次第に多くの車やＳＵＶが、車内の運転者、オペレーター、その他の乗員や使用者に表示する画像を生成する多数の統合ビデオカメラを備えている。車両メーカーによる自動車およびＳＵＶのフロントバンパー、サイドビュー、およびバックビューカメラの最近の導入により、運転者は、バックミラーまたはナビゲーションシステム画面に取り付けられた表示画面を使用して、障害物が車両を囲んでいるかどうかを確認できる。
【０００５】
バックアップまたはリアビューカメラとして知られているような外部イメージセンサは、通常、目立たないように取り付けられ、車両の後部ネームプレートなどの既存の機構に組み込まれる。これらの外部カメラは車両の過酷な環境にさらされており、多くの場合、レンズに蓄積する泥、塩水噴霧、またはダートによって汚される。ダートやごみがたまると、多くの場合、運転者が見ている画像を歪め、したがって不明瞭な画像に頼ることによる判断力の低下により、混乱、不満、または安全上の問題が生じる。
【０００６】
自動車の仕様を満たすことができるビデオディスプレイのコスト／パフォーマンス比の改善を組み合わせた固体センサ技術（例えば、ＣＭＯＳピクセルセンサ技術）を使用した低コストで信頼性の高いイメージングデバイスの出現、および自動車ナビゲーションシステムなどのビデオモニターディスプレイの適用率の増加は、一般的に「死角」と呼ばれる、運転者の通常の直接視界にない車両の周囲の領域の視界を運転者に与えるように設計されたカメラまたは撮像センサの使用増加につながっている。これらの領域には、通常、車両の前部構造によって見えなくしている車両の前部に近い領域、車両の助手席側に沿った領域、運転者の後方の車両の運転者側に沿った領域、およびバックミラーシステムを通して直接または間接的に見ることができない車両のすぐ後方の領域が含まれる。カメラまたは撮像センサは、後方（または側方または他の死角領域）の視野の画像をキャプチャすることができ、そして画像は車両の運転者に表示されて、運転者が車両をバックアップするか、後退させるか、さもなければ運転または操縦するのを支援することができる。
【０００７】
車両撮像システムで電子カメラを使用すると、低速操縦の前および最中に、車両の間近の周囲の空間に関する入念な運転者の認識を大幅に向上させることができ、したがってそのような操縦の安全な完了に貢献する。したがって、運転者に外景の画像を提供するために、車両にカメラまたは撮像センサを設けることが知られている。そのようなカメラは、カメラまたはセンサの周りを包囲し、留め具またはネジなどを介して互いに固定され得る保護ハウジング内に配置され得る。例えば、アルミニウムまたは亜鉛などのダイカストハウジングなどの金属保護ハウジングが設けられてもよい。特に、車両の外部に取り付けられたカメラセンサについては、雨、雪、道路のしぶきおよび／またはその同等物の環境影響に対する保護、ならびに道路のこみ、ダート、ほこりおよび／またはその同等物に対する物理的な保護は重要である。したがって、例えば、既知の外部カメラセンサマウントでは、熱分注ブチルシールなどのブチルシール、またはＯリング、またはその他のシール部材もしくは材料またはその同等物は、ハウジングの各部品の間に設けられ、ハウジングを密閉するのを支援して、水または他の混入物質がハウジングに入り、その中に配置されたカメラまたはセンサを損傷するのを防ぐ。しかしながら、そのようなハウジングは、通常、実質的に水密なシールをもたらさず、したがって水滴がハウジングに入ることがあり得る。さらに、カメラセンサの過度の振動は、その配置（車両の外部など）により、車両の運転者に表示される画像の望ましくない不安定性につながることがあり得る。また、そのようなカメラまたはセンサは、製造および車両への実装に費用がかかる。
【０００８】
そのような車両ビジョンシステムは、多くの場合、車両の外部部分にカメラまたは撮像センサを配置して、外部光景の画像をキャプチャする。したがって、カメラ、特に後方視界システム用のカメラは、通常、カメラおよび／またはカメラのレンズにダートが高く蓄積しやすい場所に配置または取り付けられ、カメラおよび／またはレンズを簡単に掃除する容易な方法がない。そのようなカメラのレンズ上のダートまたは湿気の蓄積を減らすために、先行技術の開発者は、レンズに親水性または疎水性コーティングを使用することを提案している。しかしながら、レンズ上でのそのような親水性または疎水性コーティングの使用は、特に密閉されたハウジング内のレンズを横切る空気の流れがないため、通常効果的ではない。また、加熱装置または素子を使用して、密閉されたハウジング内のレンズの湿気を減らすことも提案されている。しかしながら、このような用途での加熱されたレンズの使用は、レンズの結露や曇りを軽減しながらも、湿気や水に存在し得る汚染物によりレンズ上のフィルムの形成を促進することがあり得る。また、車両の後方部分でのそのようなカメラの外観は、車両のスタイリングにとってしばしば問題となる。
【０００９】
消費者の嗜好と、少なくとも画像から重要な（例えば、子供の位置）情報を抽出するための認識改善された性能に基づき、通常の人間の視覚によって認識される外部光景を表す画像を運転者に提示することが望まれている。また、車両のイメージング装置またはシステムがすべての条件、特にすべての天候および照明条件で有用であることが望ましい。しかしながら、特に運転中に、悪天候で鮮明な画像を提供できる撮像センサを提供することはしばしば困難である。これは、カメラの対物レンズが蓄積したゴミ（たとえば、蓄積したダート、ほこり、泥、道路の塩、またはその他の蓄積したゴミ）によって部分的に遮られている場合、従来の撮像システムでは通常、光景情報を解像するのが難しいことによる。
【００１０】
すべての気象条件でカメラに基づく可視性システムを効果的に使用するために、カメラレンズ（または対物レンズを保護するハウジング表面）を綺麗に保つ効果的な方法があることが望ましいが、さまざまな従来技術のデバイスにおける湿気の潜在的な悪影響が残っている。悪天候時に車両を運転または操作する場合、運転者はカメラのレンズを見つけて検査するために車両を出ることは特に気が進まない。
【００１１】
現代の車両では、カメラや赤外線画像センサなどの他のセンサがますます組み込まれ、運転者に追加情報を提供している。これらの検知デバイスの多くは、運転環境でよく見られるダートやゴミで汚れたり遮られたりする可能性があり、最終的には検知デバイスの効率を低下させたり、場合によっては使用不能にしたり、または望ましくない外観をもたらしたりする。したがって、これらの検知デバイスを定期的に洗浄して、遮るゴミの蓄積を低減または排除することが望ましい。しかしながら、従来のウォッシャーノズルの使用を限定する特定のセンサ洗浄用途に固有の制限がある。バックアップカメラまたはその他のセンサは、車両のブランドバッジまたはその他の外観上重要な特徴に近接する、車両の中心線上またはその近くに配置する必要がある場合があり、この美観的に重要な領域に目に見えるウォッシャーノズルを追加することは望ましくない。もう１つの制限は、センサが最大１８０°までまたはこれを超える非常に広い視野を持つ可能性があり、したがって従来のレンズウォッシャーノズル構成は、許容できる洗浄を提供する角度でレンズに流体を向けることができるように、センサの視野内にウォッシャーノズルを配置する方法でレンズ上に出なければならない。
【００１２】
センサの視野内に配置されると、センサがモニタリングできる領域のかなりの部分を遮る可能性がある。センサ洗浄用途に影響する第３の制限は、フロントグリルやリアリフトゲートなど、一般的なウォッシャーノズルの取り付け位置よりも高いレベルの汚染が見られる車両の領域に、センサがしばしば配置される可能性があることである。これらの場所にあるウォッシャーノズルは、センサを覆い隠すのと同じ材料により詰まるリスクがより高くなる可能性がある。したがって、外部対物レンズまたは広角センサの外部表面を、好ましくは遠隔制御により洗浄するための効果的かつ視覚的に目立たないシステムおよび方法についての必要がある。
【００１３】
さらに、現代の多くの用途では、形状的および寸法的な制限にて低流量で実行できる流体ノズルを必要としている。例えば、自動車のセンサおよびカメラ洗浄の用途では、望まれる仕様で性能を発揮しながら、流体ノズルの形状を制限するさまざまな要因を考慮しなければならない。流体ノズルの大部分は、小規模な操作で実行するようには設計されていない。より小規模な設計では、スプレープロファイルの不安定性、スプレーファンの崩壊、および高粘度条件での性能低下を含む、機能しない程度にまで流体ノズルの性能において低下がある。コンパクトな流体ノズルは、低流量での小規模用途で望ましい性能仕様を達成する方法を提供する。
【００１４】
本出願は、２０１１年３月１０日に提出された共有の米国仮特許出願第６１／４５１，４９２号および２０１４年４月１１日に提出された米国仮特許出願第６１／９７８，７７５号；２０１２年３月１０日に提出されたＰＣＴ出願番号ＰＣＴ／ＵＳ１２／２８８２８；２０１３年１１月２１日に提出された米国特許出願第１４／０８６，７４６号；および米国特許第６，２５３，７８２号に関連し、それらの開示全体は、背景および実施可能性のために参照により本明細書に組み込まれる。
【００１５】
したがって、本発明の目的は、限定されるものではないが、流体ノズルが形状的および寸法的な制限がある低流量で機能することが望まれる場合を含む、外部の対物レンズまたは広角センサの外面を洗浄して、蓄積されたゴミ（例えば、蓄積されたダート、ほこり、泥、道路の塩またはその他の蓄積したゴミ）を除去する効果的かつ視覚的に目立たないシステムおよび方法を提供することにより、上述の困難を克服することである。
【発明の概要】
【００１６】
本発明は、広範囲のスプレーおよび洗浄用途に有用な逆マッシュルーム形のマッシュルームインサート形状を有する様々な低流量流体ノズルインサートに関する。一実施形態では、本発明は、形状的および寸法的な制限にて低流量で機能することができる流体ノズルインサートに関する。さらに別の実施形態では、本発明は、低流量での小規模用途の流体ノズルアセンブリで所望の性能レベルを達成する方法を提供するコンパクトな流体ノズルインサートに関する。
【００１７】
一実施形態では、本発明は、少なくとも１つのコンパクトな流体ノズルインサート（例えば、幅が約５．５ｍｍ以下、長さが５ｍｍ以下のもの）をその中に有する流体ノズルアセンブリに関する。１つ以上のコンパクトな流体ノズルインサートを含むノズルアセンブリは、視認性／美観上の理由からスペースが非常に限られている用途に非常に効果的であることがわかる。通常、流体ノズルインサートは、次にスプレーを生成する、流体振動を正常に生成するための最小サイズ要件によって制限されている。本発明のコンパクトな流体ノズルインサートは、（以前に知られているまたは利用可能なもの）より小さなサイズの流体動作を可能にして、低流量でスプレーファンを生成することを可能にする新規な特徴を有する。典型的な流量は、２５ｐｓｉで３００ｍＬ／分未満である。また、高速、大きな液滴、均一な分布、高粘度操作の改善によっても特徴付けられる。
【００１８】
１つの特定の例では、本発明のコンパクトな流体ノズルアセンブリは、流体源への液体連通を受け入れ、向けて、提供するように構成されたコンパクトなハウジング、および組み立てられたときにより小規模流体ノズルで発生する性能問題を軽減する特徴を組み込んだ流体ノズルインサートまたはチップを含む。これらの特徴には、スプレーの不安定性の低減と高粘度性能の改善が含まれる。
【００１９】
出願人がコンパクトな流体ノズルアセンブリに見る最大の欠点または性能問題の１つは、著しい不安定性、崩壊するファン、ヨー、ロール、および高粘度性能の著しい低下があることである。この問題の主な原因は、小さい流体形状と低い流量であり、その両方とも低いレイノルズ数（Ｒｅ）を生成する。低Ｒｅでは、流体振動は開始、維持がより難しく、そしてまた不安定である。典型的な（例えば、出願人自身の以前の）流体設計は、流体振動およびスプレーを可能にするより大きな相互作用領域を有する。これらの問題を解決するには、サイズと「低Ｒｅ」の制限を克服する新規な特徴を備えた新しい流体構成の開発と試験を要した。本発明のコンパクトな流体ノズルアセンブリ、およびその対応する流体ノズルインサートは、自動車のセンサおよびカメラ洗浄用途などの用途において重要な高速液滴を生成する。
【００２０】
本発明のコンパクトな流体ノズルアセンブリ、およびその中に配置される１つ以上の流体ノズルインサートは、噴霧分布および高粘度条件の両方で性能を改善する特定の特徴を備えて設計されている。流体ノズルインサートの相互作用領域（「ＩＲ」）は、コンパクトな流体ノズルのサイズがより小さいことから生じるスプレープロファイルに見られる望ましくないヨーとロールの量を最小限にするために重要である。出願人の以前の研究では、相互作用領域はドーム型であり（出願人の共有の米国特許第６，２５３，７８２号でさらに説明および図示されている特徴を示す図１を参照）、一方で本発明は通常、フラットトップ相互作用領域で動作するように設計されている。フラットトップ相互作用領域は、渦が形成するより大きなコーナー領域を提供し、その結果、振動ジェットはより望ましいスプレーファンを生成する。パワーノズルの角度、またはジェット角度は、その２つのジェットが交差する場所ＪＡを決定する（図３を参照）。
【００２１】
出願人は、プロトタイプの開発と試験を通じて、最適な性能構成または流体形状では、ジェット交差角（ＪＡ）が１００°から１５０°の範囲にあり、所望のスプレーファンを実現し、発生するヨーの量を最小限に抑えることを見出した。また、出願人の以前の流体形状が水平の直線的な（例えば、まっすぐな横断）スロート壁を含んでおり、本発明の最近の開発作業には、凹状または湾曲状の壁セグメントがより良い性能を提供するという発見が含まれる。
【００２２】
一実施形態では、本発明は、流体ノズルインサートであって、約７．５ｍｍ以下の幅（Ｗ）および約８ｍｍ以下の長さ（Ｌ）を有する流体ノズルインサート構造体；および約０．５ｍｍから約２ｍｍの範囲のコンパクトな湾曲状の底壁半径（ＷＣ）を有する流体振動子形状、ここでエッジブロックは、スロート幅（ＴＷ）に対してスロート幅（ＴＷ）の０から約０．８倍ほどの範囲であり得るエッジブロックの長さ（ＴＬ）を持つように規定されており、ここで相互作用領域の幅（ＩＷ）は、パワーノズルの幅（ＰＷ）の約５倍から約１０倍であり、ここで相互作用領域の高さ（ＩＨ）は、パワーノズルの幅（ＰＷ）の約４倍から約８倍であり、そしてここでスロートオフセット（ＴＯ）は、相互作用領域の高さ（ＩＨ）の約０．０５から約０．３倍の範囲内である、を含む流体ノズルインサートに関する。
【００２３】
別の実施形態では、本発明は、ノズルポスト、ここでノズルポストは取り付け可能に設計されており；上げられた流体ノズルインサートレセプタクル、ここでノズルインサートレセプタクルは、その中に形成された少なくとも１つの空洞に少なくとも１つの流体ノズルインサートを受け入れるように設計されており；ならびにノズル本体、ここでノズル本体は、ノズルポストと上げられた流体ノズルインサートレセプタクルとの間に位置し、そしてそれら両方を接続する、を備えた流体ノズルアセンブリ、ここで流体ノズルインサートは、約７．５ｍｍ以下の幅（Ｗ）および約８ｍｍ以下の長さ（Ｌ）を有する流体ノズルインサート構造体；および約０．５ｍｍから約２ｍｍの範囲のコンパクトな湾曲状の底壁半径（ＷＣ）を有する流体振動子形状を含み、ここでエッジブロックは、スロート幅（ＴＷ）に対してスロート幅（ＴＷ）の０から約０．８倍ほどの範囲であり得るエッジブロックの長さ（ＴＬ）を有するように規定されており、ここで相互作用領域の幅（ＩＷ）は、パワーノズルの幅（ＰＷ）の約５から約１０倍であり、ここで相互作用領域の高さ（ＩＨ）は、パワーノズルの幅（ＰＷ）の約４から約８倍であり、そしてここでスロートオフセット（ＴＯ）は、相互作用領域（ＩＨ）の高さの約０．０５から約０．３倍の範囲内である、を備えた流体ノズルアセンブリに関する。
【図面の簡単な説明】
【００２４】
【図１】図１は、従来技術の流体ノズルインサートの断面図である。
【００２５】
【図２】図２は、本発明の一実施形態による流体ノズルインサート設計の断面図である。
【００２６】
【図３】図３は、本発明の別の実施形態による流体ノズルインサート設計の断面図である。
【００２７】
【図４】図４は、本発明による流体ノズルインサートの断面斜視図である。
【００２８】
【図５】図５は、本発明による流体ノズルインサートの側面断面図である。
【００２９】
【図６】図６は、図２から図５の実施形態による少なくとも１つの流体ノズルインサートを組み込んだ流体ノズルアセンブリの一実施形態の斜視図である。
【００３０】
【図７】図７は、図２から図５の実施形態による１つの流体ノズルインサートを組み込んだ流体ノズルアセンブリの一実施形態の斜視図である。
【発明を実施するための形態】
【００３１】
本発明は、広範囲のスプレーおよび洗浄用途に有用な逆マッシュルーム形のマッシュルームインサート形状を有する様々な低流量流体ノズルインサートに関する。一実施形態では、本発明は、形状的および寸法的な制限にて低流量で機能することができる流体ノズルインサートに関する。さらに別の実施形態では、本発明は、低流量での小規模用途の流体ノズルアセンブリで所望の性能レベルを達成する方法を提供するコンパクトな流体ノズルインサートに関する。
【００３２】
本明細書で使用される場合、近似言語は、関連する基本機能の変更をもたらすことなく変化する可能性のある任意の定量的表現を修正するために適用され得る。したがって、「約」や「実質的に」などの用語によって修正された値は、場合によっては特定された正確な値に限定されないことがあり得る。
【００３３】
ここで図２から図５を参照すると、一例では７．５ｍｍ、７ｍｍ、６．５ｍｍ、６ｍｍ、５．５ｍｍ、またはさらに５ｍｍより小さい幅を有するコンパクトな流体ノズルインサート１００が示されている。一実施形態では、本発明の流体ノズルインサートは、約５．１５ｍｍの幅を有する。すべての例において、本発明の流体ノズルインサートは、視認性／美観上の理由により非常に限られたスペースでの用途に対して非常に効果的であることが見出されている。上記のように、流体ノズルインサートとそれに対応する流体ノズルアセンブリ（図６および７を参照、ここで流体ノズルアセンブリが一実施形態では幅８ｍｍ、長さ８ｍｍである）は通常、次にスプレーを生成する流体振動を正常に生成するための最小サイズ要件によって制限される。本発明のコンパクトなノズルは、低流量でスプレーファンを生成するため（従来知られているまたは利用可能なものよりも）より小さなサイズのノズルで流体動作を可能にする新しい構造方向性を有する。典型的な流量は２５ｐｓｉで約３００ｍＬ／分未満であり、スプレーファンは約２０°から約６０°の角度を有する。本発明の流体ノズルはまた、高速、大きな液滴、均一な分布、および改善された高粘度動作によって特徴付けられる。この結果は、流体ノズルインセット２００に関して以下で説明する独特の特徴と設計要素による。
【００３４】
本発明のコンパクトな流体ノズルアセンブリ（図６および７を参照）は、流体源への流体連通を受け入れ、向けて、そして提供するように構成されたコンパクトなハウジング、および組み立てると、より小規模の流体ノズルで生じる性能問題を軽減する特徴が組み込まれている流体ノズルインサートまたはチップを含む。これらの特徴には、スプレーの不安定性の低減および高粘度性能の改善が含まれる。
【００３５】
出願人がコンパクトな流体ノズルアセンブリで見る最大の欠点または性能問題の１つは、著しい不安定性、崩壊するファン、ヨー、ロール、および高粘度性能での著しい低下が存在することである。この問題の主な原因は、小さい流体形状と低い流量であり、両方とも低いレイノルズ数（Ｒｅ）を生成する。低Ｒｅでは、流体振動は開始、維持が難しく、不安定でもある。典型的な（例えば、出願人自身の以前の）流体設計は、流体振動とスプレーを可能にするより大きな相互作用領域を有している。これらの問題を解決するには、サイズと「低Ｒｅ」の制限を克服する新しい特徴を備えた新しい流体構成の開発と試験を必要とした。本発明のコンパクトな流体ノズルアセンブリ、およびその対応する流体ノズルインサート２００は、高速の液滴を生成し、これは自動車のセンサやカメラ洗浄用途などの用途で重要である。
【００３６】
本発明のコンパクトな流体ノズルインサートは、噴霧分布および高粘度条件の両方で性能を改善する特定の特徴を備えて設計されている。流体ノズルインサートの相互作用領域（「ＩＲ」、図２を参照）は、コンパクトな流体ノズルアセンブリのより小さなサイズから生じるスプレープロファイルに見られる、望まれないヨーおよびロールの量を最小限に抑えるために重要である。出願人の以前の制作では、相互作用領域はドーム型であり（出願人の共同所有の米国特許第６，２５３，７８２号でさらに説明および図示されている特徴を示す、図１を参照）、一方で本発明は典型的には、フラットトップ相互作用領域で動作するように設計されている（例えば、図２から４を参照）。
【００３７】
本発明の流体振動子は、振動誘発チャンバ、少なくとも１つの圧力下流体源、少なくとも一対の流体ジェットを振動チャンバに発射するための少なくとも１つの圧力下流体源に接続された少なくとも一対のパワーノズル（ＰＮ１、ＰＮ２）、および脈動または振動流体ジェットを利用点または周囲に放出するための振動チャンバからの少なくとも１つの出口オリフィスを有する流体ノズルインサートまたはチップ部材２００の内部に規定される、またはそれを含む。共通の流体マニホールドは、パワーノズルＰＮ１、ＰＮ２に接続されている。パワーノズルマニホールドの形状は、「フラットトップ」相互作用または振動チャンバを画定する壁の１つを形成する。いくつかの流体回路では、既存のハウジングに合うように長さを調整できる。パワーノズルは、所望の方向に応じて、左または右への液体スプレーファンの角度でヨー角を生成するオフセットを有することができる。いくつかの実施形態では、流出スロートは、スプレーの左方向または右方向のヨー角を動かすために左または右にわずかに軸から外れて（中央のスプレー軸と同軸の対称の中心軸から外れて）いる。出口スロートは、望まれることに応じて、左または右に所定の角度のヨー角を生成するよう、縦軸に沿ってわずかにオフセットされてもよい。したがって、ほとんどの用途に適した上記の技術の組み合わせを使用して、ヨーの回路を構築できる。
【００３８】
フラットトップ相互作用領域は、渦が形成するより大きなコーナー領域を提供し、その結果、出口オリフィスから放出する振動ジェットがより望ましいスプレーファンを生成する。パワーノズル角度、またはジェット角度は、２つのジェットが交差する場所ＪＡを決定する（図３を参照）。所望のスプレーファンを実現し、発生するヨーの量を最小限に抑えるためジェットの交差角ＪＡが約１００°から約１５０°の範囲にあることが重要であることを出願人は見出している。従来の流体形状が水平スロート壁を含んでいたところでは、本発明の最近の開発活動において、再設計された（現在は凹状または湾曲状の）壁セグメント、ＷＣと表記、が最適に機能する（図２から４などを参照）という発見が含まれる。湾曲状の壁（ＷＣ）セグメントの半径は、約０．５から約２ｍｍの範囲にすることができる。湾曲状の壁はＴＯによって規定され、スロートオフセットは本発明に組み込まれた新しい特徴である。スロートオフセットは、流体の粘度を決定する暖かい状態と冷たい状態の両方で、本発明による１つ以上の流体ノズルインサートまたはチップ部材を使用するコンパクトな流体ノズルの動作を改善する上で重要な役割を果たす。湾曲状の壁がないと、スプレーの分布が不安定になり、著しいロールが存在することになる。高粘度状態では、不安定性、ヨー、およびロールの問題が拡大する。伸長したスロート、ＴＬと表記の、大きなエッジブロックは、特に高粘度条件下で、スプレープロファイルを安定させ、発生するロールの量を減らすことにおいて重要である。エッジブロックの理想的な範囲は、スロートの幅の０パーセントから約８０パーセントであることが判明した。エッジブロックはまた、角度γで規定され、約１０°から約３０°の範囲とすることができる（たとえば、図３を参照）。伸長したスロートは、流れる流体により多くの時間を与えて振動させ、所望のスプレー分布を生成し、最小限のヨーとロールが、低流量および高粘度条件での性能向上をもたらす。
【００３９】
この新しい流体形状が、コンパクトな構成、ここで「コンパクト」とは、約５．００ｍｍ以下の幅Ｗ（但し、一部の実施形態では以下に示すように幅を大きくすることが可能）および約５．５０ｍｍ以下の長さＬ（但し、一部の実施形態では以下に示すように長さを長くすることが可能）を有することを意味する、を有する驚くべき特徴の組み合わせにより向上した性能をもたらすことを当業者であれば認めるであろう。コンパクトな湾曲状の底壁半径（ＷＣ）は、約０．５ｍｍ以上の理想的な範囲が実験的にわかっている。エッジブロックの長さ（ＴＬ）は、スロート幅（ＴＷ）に対して、スロート幅の０．０から約０．８倍ほどの範囲にすることができる。相互作用領域の幅（ＩＷ）は、理想的にはパワーノズル幅（ＰＷ）の約５倍から約１０倍である。イヤーの幅は、好ましくは、最小でパワーノズルの幅の３倍であり、最大で相互作用領域（ＩＷ）である。相互作用領域の高さ（相互作用の高さ−ＩＨ）は、理想的にはパワーノズル幅（ＰＷ）の約４倍から約８倍であり、そしてスロートオフセットＴＯは、好ましくはＩＨの約０．０５から約０．３倍の範囲内である。
【００４０】
図１を個別に参照すると、図１は、１つの従来技術の流体ノズルインサート１０の断面図を示している。流体ノズルインサート１０は、複数のパワーノズル１４および１６（それぞれＰＮ１’およびＰＮ２’とさらに表示）を有する相互作用チャンバ１２（ＩＣ）を含む。そのような流体ノズルインサート１０が利用される流体ノズルアセンブリチャンバ内の流れは、本質的に不安定な４渦システム（米国特許第６，２５３，７８２号を参照）を作り出す。これにより、米国特許第６，２５３，７８２号に示されているように、流出または出口の開口部で広範囲ジェットが生じる。加えて、図１の実施形態は、内部通路とともに使用される単一の供給マニホールド１８（ＳＦＭ）を使用する。
【００４１】
図１に示される実施形態は、出口２０（ＥＸ７’）から概ね離れて向かうように方向が逆にされているが、さらに相互作用チャンバ１２内で衝突してアウトプットジェットに振動を生成する複数のインプットパワーノズル１４および１６（ＰＮ１’およびＰＮ２’）を有する。図１において、２つのパワーノズル１４および１６（ＰＮ１’およびＰＮ２’）はジェット２２および２４（それぞれＪ１’およびＪ２’とさらに表記）を発し、これらはドーム形状のチャンバ、および振動流を生成するのに必要な条件で流出／出口２０（ＥＸ７’）に向かって流れを誘導するために加えられているデフレクタ２６および２８（それぞれＤ１’およびＤ２’とさらに表記）に向かって配置および方向付けまたは角度付けされている。
【００４２】
図２から５を参照すると、以下の用語が使用されている：Ｉｗ＝（４．０から８．０）・Ｐｗ（トータル）（相互作用幅）；ＩＨ＝（５．０から１０．０）・Ｐｗ（トータル）（相互作用高さ）；γはエッジブロック角度を表す；ＪＡはジェット角度を表す；ＴＬ＝（０．０から０．８）・Ｔｗ（エッジブロックの長さ）；ＴＯ＝（０．０５から０．３）・ＩＨ（スロートオフセット）；Ｌは回路の長さを表す；Ｗは回路の幅を表す；ＰＷはパワーノズルの幅を表す；ＴＷはスロート幅を表す；ＩＲは相互作用領域（相互作用チャンバーとも称する）を表す；そしてＷＣは湾曲状の壁を表す。さまざまな実施形態において、本発明の流体ノズルインサートは、約１０．５ｍｍ、約１０ｍｍ、約９．５ｍｍ、約９ｍｍ、約８．５ｍｍ、またはさらには約８ｍｍ以下の幅（Ｗ）、および約１０．５ｍｍ、約１０ｍｍ、約９．５ｍｍ、約９ｍｍ、約８．５ｍｍ、またはさらには約８ｍｍ以下の長さ（Ｌ）を有するコンパクトな流体ノズルアセンブリを形成するために使用される。一実施形態では、本発明の流体ノズルインサートまたはチップ部材は、約７．５ｍｍ、約７ｍｍ、約６．５ｍｍ、約６ｍｍ、約５．５ｍｍ、またはさらに約５ｍｍ以下の幅（Ｗ）、および約８ｍｍ、約７．５ｍｍ、約７ｍｍ、約６．５ｍｍ、約６ｍｍ、またはさらに約５．５以下の長さ（Ｌ）を有する。形状的関係のいずれか１つのセットに限定されることを望むものではないが、一般的に言えば、流体ノズルアセンブリ（例えば、図６および図７の流体ノズルアセンブリ６０４）の幅は、本発明の流体ノズルインサート２００の幅よりも約３ｍｍ大きい。
【００４３】
図２を参照すると、図２は、本発明による流体ノズルインサートまたはチップ部材２００の一実施形態の断面図を示す。流体ノズルインサート２００は、複数のパワーノズル２０４および２０６（それぞれＰＮ１およびＰＮ２とさらに表記）を有する相互作用チャンバ２０２（相互作用領域とも称され、ＩＲと表記）を含む。図２に示される実施形態は、出口２０８（ＥＸ）から概ね離れるように方向が逆にされているが、相互作用チャンバ２０２内で衝突してアウトプットジェットに振動を生成する、複数のインプットパワーノズル２０４および２０６（ＰＮ１およびＰＮ２）をさらに含む。図２において、２つのパワーノズル２０４および２０６（ＰＮ１およびＰＮ２）はジェット２１０と２１２（それぞれさらにＪ１およびＪ２と表記）を発し、これらは、チャンバのドーム形状、および振動流を生成するのに必要な条件で流出／出口２０８（ＥＸ）に向かって流れを誘導するために加えられているデフレクタ２１４および２１６（それぞれさらにＤ１およびＤ２と表記）に向かって配置および方向付けまたは角度付けられている。さらに図１の実施形態は、内部通路とともに使用される単一の供給マニホールド１８（ＳＦＭ）を使用する。さらに図２の実施形態は、内部通路とともに使用される単一の供給マニホールド２１８（ＳＦＭ）を使用する。
【００４４】
再び、図２の流体ノズルインサート２００は、図２の様々な測定項目を使用して、流体ノズル２００の幅（Ｗ）および／または長さ（Ｌ）によって決定される以下の関係を有する：Ｉｗ＝（４．０から８．０）・Ｐｗ（トータル）（相互作用の幅）；ＩＨ＝（５．０から１０．０）・Ｐｗ（トータル）（相互作用の高さ）；γはエッジブロック角度を表す；ＪＡはジェット角度を表す；ＴＬ＝（０．０から０．８）・Ｔｗ（エッジブロックの長さ）；ＴＯ＝（０．０５から０．３）・ＩＨ（スロートオフセット）；Ｌは回路の長さを表す；Ｗは回路の幅を表す；ＰＷはパワーノズルの幅を表す；ＴＷはスロート幅を表す；ＩＲは相互作用領域を表す；およびＷＣは湾曲状の壁を表す。さまざまな実施形態において、本発明の流体ノズルインサートは、約７．５ｍｍ、約７ｍｍ、約６．５ｍｍ、約６ｍｍ、約５．５ｍｍ、またはさらに約５ｍｍ以下の幅（Ｗ）、および約８ｍｍ、約７．５ｍｍ、約７ｍｍ、約６．５ｍｍ、約６ｍｍ、またはさらに約５．５以下の長さ（Ｌ）を有するコンパクトなノズルインサートである。
【００４５】
図３を参照すると、図３は、本発明による流体ノズルインサート２００の一実施形態の断面図を示し、ここでパワーノズル角度、またはジェット角度２５０（ＪＡ）は、２つのジェット２１０と２１２（Ｊ１とＪ２）が交差する場所を決定する。出願人は、所望のスプレーファンを達成し、発生するヨーの量を最小限に抑えるために、ジェット交差角２５０（ＪＡ）が約１００°から約１５０°の範囲にあることが重要であることを見出した。さらに図３はγを示し、γはエッジブロック角度２５２を表す。
【００４６】
図４および５を参照すると、図４は、本発明による流体ノズルインサート２００の断面斜視図であり、一方図５は、本発明による流体ノズルインサート２００の側面断面図である。
【００４７】
図６を参照すると、図６は、図２から図５の実施形態による少なくとも１つの流体ノズルインサートまたはチップ部材２００を組み込んだ流体ノズルハウジングアセンブリ６００の一実施形態の斜視図である。流体ノズルハウジングアセンブリ６００は、流体ノズルハウジングアセンブリを車両または他の何らかの物体に取り付けるためのポスト６０２、図２から図４のいずれかによる少なくとも１つの流体ノズルインサート２００を受け入れるように設計された少なくとも１つの流体ノズルインサート開口部６０８（図７参照）を備えた少なくとも１つの流体ノズルインサートレセプタクル６０６を有する上げられた流体ノズルアセンブリ６０４、およびポスト６０２を上げられた流体ノズルレセプタクル６０４に接続する流体ノズルハウジングアセンブリ本体６１０を有する。６０２ポストとともに、上げられた流体ノズルアセンブリ６０４およびノズルハウジングアセンブリ本体６１０は、いくつかの場合またはすべての場合において、少なくとも１次元、少なくとも２次元、または３次元すべてでの上げられた流体ノズルアセンブリ６０４の移動を促進することができる。別の実施形態では、ポスト６０２、上げられた流体ノズルアセンブリ６０４およびノズルハウジングアセンブリ本体６１０は、いくつかの場合またはすべての場合において、少なくとも１次元、少なくとも２次元、またはさらには３次元すべてにおいて、ノズルハウジングアセンブリ６００のすべての移動を促進することができる。別の実施形態では、前記１つ以上の追加のデバイス（図示せず）が、流体ノズルインサート２００を有する流体ノズルアセンブリ６０４がその情報収集レンズを洗浄できるような方式で配向されるように、ノズルハウジングアセンブリ６００のハウジング本体６１０を使用して、カメラやその他のタイプのセンサ（視覚的またはその他による）などの１つ以上の追加のデバイスを固定することができる。
【００４８】
図７を参照すると、図７は、図２から図５の実施形態による１つの流体ノズルインサート２００を逆向きに組み込んだノズルハウジングアセンブリ６００の一実施形態の斜視図である。
【００４９】
新しいコンパクトなノズルアセンブリ、流体インサート形状、および改善された方法の好ましい実施形態を説明したが、本明細書に記載された教示を考慮して、他の修正、変形および変更が当業者に示唆されると考えられる。したがって、そのような変形、修正、および変更はすべて、本発明の範囲内にあると考えられることを理解されたい。
【００５０】
本明細書に詳述される特定の実施形態を参照して本発明を説明したが、他の実施形態は、同じまたは類似の結果を達成することができる。本発明の変形および修正は当業者には明らかであり、本発明はそのようなすべての修正および均等物を網羅することが意図されている。
【図１】
2020522652.tif 000003
【図２】
2020522652.tif 000004
【図３】
2020522652.tif 000005
【図４】
2020522652.tif 000006
【図５】
2020522652.tif 000007
【図６】
2020522652.tif 000008
【図７】
2020522652.tif 000009
【国際調査報告】
2020522652.tif 000010
2020522652.tif 000011